(57)【要約】【課題】  平面ディスプレイの設置の自由度を増す。【解決手段】  底面に転倒防止のための前後に突出した転倒防止部材を有する平面ディスプレイ用架台において、該転倒防止部材は架台左右両端部にそれぞれ設けられ、且つ架台重心の前後方向位置の直下近傍に設けた回動軸を中心として回動可能とする。【選択図】  図１
2006227405.tif 000002
【特許請求の範囲】
【請求項１】
薄型の平面ディスプレイを装着する架台であって、その底面に転倒防止のための前後に突出した転倒防止部材を有し、前記転倒防止部材は架台左右端部にそれぞれ設けられ、且つ該平面ディスプレイを装着した状態での重心の前後方向位置の直下近傍に設けた回動軸を中心として回動可能とすることを特徴とする平面ディスプレイ用架台。
【請求項２】
該転倒防止部材の外側側面は、該回動軸を挟んで鈍角（９０°〜１８０°）を成すこと特徴とする請求項１に記載の平面ディスプレイ用架台。
【請求項３】
該転倒防止部材は、その外側側面が前記平面ディスプレイ用架台に対して所定の角度を成すように常に附勢される事を特徴とする請求項２に記載の平面ディスプレイ用架台。
【発明の詳細な説明】
【技術分野】
【０００１】
本発明は液晶ディスプレイ、プラズマディスプレイ等の平面ディスプレイ用の架台における倒れ防止構造に関するものである。
【背景技術】
【０００２】
図９、１０は従来の平面ディスプレイ用架台とその設置例を説明する図である。
【０００３】
図９、１０において１００は液晶ディスプレイ或いはプラズマディスプレイ等から成る平面ディスプレイで、架台１０１に装着された状態を示している。
【０００４】
平面ディスプレイ１００は一般的に画面サイズが大型（３０〜５０型）にもかかわらず、その奥行きが１０ｃｍ程度と薄いのが特徴であるが、その薄さのために前後方向の安定性が悪く、倒れ防止のため架台１０１の底面は通常、前後に突出した形状（ａ部）をなしている。
【０００５】
ここで、図９は平面ディスプレイ１００を装着した架台１０１を壁際に設置した図。図１０は壁のコーナー部に設置した様子を表す図である。
【０００６】
又、別の従来例としては、特許文献１及び特許文献２をあげることが出来る。
【特許文献１】特開２００２−０４４５６８号公報
【特許文献２】特開平１１−２１９２２９号公報
【発明の開示】
【発明が解決しようとする課題】
【０００７】
然しながら、上記説明したように、架台１０１の底面は前後に突出した形状（ａ部）をなしているため平面ディスプレイの背面側は図１０、Ａ視図に示す様に壁から離間してしまい、平面ディスプレイの薄さを十分に生かす配置をすることができなかった。
【課題を解決するための手段】
【０００８】
本発明によれば平面ディスプレイを装着する架台であって、その底面に転倒防止のための前後に突出した転倒防止部材を有し、前記転倒防止部材は架台左右端部にそれぞれ設けられ、且つ該平面ディスプレイを装着した状態での重心の前後方向位置の直下近傍に設けた回動軸を中心として回動可能とすることにより前記平面ディスプレイ用架台を壁面に密着して設置することが可能となり、平面ディスプレイの薄さを十分に生かす配置をすることが可能となった。
【発明の効果】
【０００９】
本発明によれば平面ディスプレイを装着する架台であって、その底面に転倒防止のための前後に突出した転倒防止部材を有し、前記転倒防止部材は架台左右両端部にそれぞれ設けられ、且つ該平面ディスプレイを装着した状態での重心の前後方向位置の直下近傍に設けた回動軸を中心として回動可能とすることにより前記平面ディスプレイ用架台を壁面に密着して設置することが可能となり、転倒防止機能をそこなう平面ディスプレイの薄さを十分に生かす配置をすることが可能となった。
【発明を実施するための最良の形態】
【００１０】
（実施例１）
図１に本発明による平面ディスプレイを装着した架台の概要を示す。図において１は液晶或いはプラズマディスプレイ等からなる平面ディスプレイ２を装着した架台である。
【００１１】
３は図２で示す重心Ｇの直下近傍に設けた回動軸４を中心に回動可能に固定された転倒防止部材で架台１の左右両端部にそれぞれ設けられている。
【００１２】
図３および図４に転倒防止部材の詳細を示す。転倒防止部材３の外側側面の成す角θは該回動軸４を挟んで鈍角（９０°〜１８０°）を成す様に構成されている。（図４）
５は矢印６で示す方向に転倒防止部材３を附勢するコイルスプリングでストッパー７によって転倒防止部材３の外側側面が該回動軸４を中心として略同一の角度を成すような位置に常時附勢されている。
【００１３】
図１は平面ディスプレイ２を装着した架台１を壁面８から離間した位置に配置したようすを示している。
【００１４】
図５は平面ディスプレイ２を装着した架台１を壁面８に密着して設置した様子を示す図である。倒れ防止部材３は架台１を壁面８に押圧することにより回動軸４を中心として矢印９の方向に回動し平面ディスプレイ２を装着した架台１を壁面８に密着させる事が可能となる。（図５−Ｄ視図）
【００１５】
図６は平面ディスプレイ２を装着した架台１を壁面８のコーナー部に密着して設置した様子を示す図である。倒れ防止部材３は架台１が壁面８のコーナー部に押圧されることにより回動軸４を中心として矢印１０の方向に回動するため、平面ディスプレイ２を装着した架台１を壁面８のコーナー部に密着させる事が可能となる。（図６−Ｆ視図）
【００１６】
（実施例２）
図７は本発明による他の実施例を示すもので、転倒防止部材３に移動用のキャスター１１を取り付けたものである。
【００１７】
図８は図７におけるＥ矢視図で転倒防止部材３の詳細を示すものであり、実施例１と同様の構成要素には同じ符号を付している。
【００１８】
転倒防止部材３に移動用のキャスター１１を取り付けることによって、より大型、重量物のディスプレイを使用した場合にも移動が容易となり前述の実施例１と同様の効果がある。
【図面の簡単な説明】
【００１９】
【図１】平面ディスプレイ２を装着した架台１を壁面８から離間した位置に配置したようすを示す図。
【図２】重心Ｇの位置を説明する図。（図１のＣ矢視図）
【図３】転倒防止部材の詳細を示す図。
【図４】転倒防止部材の詳細を示す図。
【図５】平面ディスプレイ２を装着した架台１を壁面８に密着して設置した様子を示す図。
【図６】平面ディスプレイ２を装着した架台１を壁面８のコーナー部に密着して設置した様子を示す図。
【図７】本発明による他の実施例を示す図。
【図８】図７におけるＥ矢視図で転倒防止部材３の詳細を示す図。
【図９】従来の平面ディスプレイ用架台とその設置例を説明する図。
【図１０】従来の平面ディスプレイ用架台とその設置例を説明する図。
【符号の説明】
【００２０】
１  液晶或いはプラズマディスプレイ等からなる平面ディスプレイを装着した架台
２  液晶或いはプラズマディスプレイ等からなる平面ディスプレイ
３  転倒防止部材
４  回動軸
５  コイルスプリング
７  ストッパー
８  壁面
１０１  従来の平面ディスプレイ用架台
θ  転倒防止部材の外側側面の成す角
【図１】
2006227405.tif 000003
【図２】
2006227405.tif 000004
【図３】
2006227405.tif 000005
【図４】
2006227405.tif 000006
【図５】
2006227405.tif 000007
【図６】
2006227405.tif 000008
【図７】
2006227405.tif 000009
【図８】
2006227405.tif 000010
【図９】
2006227405.tif 000011
【図１０】
2006227405.tif 000012